(57)【要約】【課題】ミラーの配置を調整することが可能であると共に熱によるミラーのひずみが低減される光学走査デバイスを提供する。【解決手段】光源１０２から発生させられる光を、ハウジング１０１に取り付けられる第一の端部及び第二の端部を備えた少なくとも一つのミラー１０７を介して対象１０６に照射し、且つ、該照射させられた光で該対象１０６を走査する光学走査デバイスにおいて、該少なくとも一つのミラー１０７の第一の端部は、該ハウジング１０１に可動に支持され、且つ、該少なくとも一つのミラー１０７の第二の端部は、該ハウジング１０１に接着される。【選択図】図３
2008268838.tif 000002
【特許請求の範囲】
【請求項１】
光源から発生させられる光を、ハウジングに取り付けられる第一の端部及び第二の端部を備えた少なくとも一つのミラーを介して対象に照射し、且つ、該照射させられた光で該対象を走査する光学走査デバイスにおいて、
該少なくとも一つのミラーの第一の端部は、該ハウジングに可動に支持され、且つ、
該少なくとも一つのミラーの第二の端部は、該ハウジングに接着される
ことを特徴とする光学走査デバイス。
【請求項２】
前記ハウジングは、凸部を有し、
前記少なくとも一つのミラーの第一の端部は、前記凸部の一点で支持されることを特徴とする請求項１に記載の光学走査デバイス。
【請求項３】
前記凸部は、曲面を有し、
該少なくとも一つのミラーの第一の端部は、前記凸部の曲面における一点で支持されることを特徴とする請求項２に記載の光学走査デバイス。
【請求項４】
前記少なくとも一つのミラーの第一の端部を前記ハウジングに固定する弾性体の固定部材を含む請求項１乃至３のいずれか一項に記載の光学走査デバイス。
【請求項５】
光学走査デバイスを用いて画像を形成する画像形成装置において、
該光学走査デバイスは、請求項１乃至４のいずれか一項に記載の光学走査デバイスであることを特徴とする画像形成装置。
【請求項６】
接着剤によって接着することが可能なミラーにおいて、
接着剤の接着力を向上させる膜を有することを特徴とするミラー。
【請求項７】
前記膜は、ミラーの鏡面の反射率を向上させる膜であることを特徴とする請求項６に記載のミラー。
【請求項８】
前記膜は、ＳｉＯ２層を含むことを特徴とする請求項６又は７に記載のミラー。
【請求項９】
紫外線を透過させることが可能な部分を有することを特徴とする請求項６乃至８のいずれか一項に記載のミラー。
【請求項１０】
光学走査デバイスに配置するミラーであって、
中央部に光を反射する鏡面部と、両端部に光を透過する透過部を備え、接着剤によってハウジングに接着することが可能なことを特徴とするミラー。
【請求項１１】
前記透過部は、紫外線を透過することが可能であることを特徴とする請求項１０に記載のミラー。
【請求項１２】
前記透過部には、接着面が形成されていることを特徴とする請求項1０又は１１に記載のミラー。
【請求項１３】
前記接着面は、端部が平滑である側の平面を接着面とすることを特徴とする請求項１２に記載のミラー。
【請求項１４】
前記接着面は、親水性を有することを特徴とする請求項１２又は１３に記載のミラー。
【請求項１５】
前記接着面は、ミラーの接着力を向上させる接着強化膜を備えていることを特徴とする請求項１４に記載のミラー。
【請求項１６】
前記接着強化膜は、鏡面部の反射率を増加させる増反射膜であることを特徴とする請求項１４又は１５に記載のミラー。
【請求項１７】
前記増反射膜は、ＳｉＯ２層を含むことを特徴とする請求項１６に記載のミラー。
【請求項１８】
前記接着面は、紫外線硬化型接着剤を塗布する領域と、親水性を測定する領域とを備えていることを特徴とする請求項１２〜１７のいずれか一項に記載のミラー。
【請求項１９】
前記親水性を測定する領域は、ミラー端部側に配置されていることを特徴とする請求項１８に記載のミラー。
【請求項２０】
ミラーを備えた光学走査デバイスのハウジングであって、
ミラーを接着する接着部は、凹凸形状をしており、
ミラーの接着面と当接する第１面と、
第１面と交叉して凹部を形成する第２面とを有し、
第１面と第２面との交線は、ミラーとハウジングの接着面の最遠部同士を結んだ少なくともひとつの直線と略直交することを特徴とするハウジング。
【請求項２１】
前記第２面は、前記第１面に対し３０〜９０度の傾きを有することを特徴とする請求項２０に記載のハウジング。
【請求項２２】
前記凹凸形状における凹部の深さは均一であることを特徴とする請求項２０又は２１に記載のハウジング。
【請求項２３】
前記凹凸形状は、金型の転写により形成されていることを特徴とする請求項２０〜２２のいずれか一項に記載のハウジング。
【請求項２４】
ミラーを備えた光学走査デバイスのハウジングであって、
ミラーを接着する接着部は、ミラーの接着面と当接する第１面と、
第１面と交叉する第２面を含む面により凹凸形状を形成し、該凹凸形状はローレット形状をしていることを特徴とするハウジング。
【請求項２５】
前記第１面と第２面との交線は、ミラーとハウジングの接着面の最遠部同士を結んだ直線と略直交していることを特徴とする請求項２４に記載のハウジング。
【請求項２６】
前記第２面は、前記第１面に対し３０〜９０度の傾きを有することを特徴とする請求項２４又は２５に記載のハウジング。
【請求項２７】
前記ローレット形状を形成する凹部の深さは均一であることを特徴とする請求項２４〜２６のいずれか一項に記載のハウジング。
【請求項２８】
前記ローレット形状は、金型の転写により形成されていることを特徴とする請求項２４〜２７のいずれか一項に記載のハウジング。
【請求項２９】
請求項２０〜２８のいずれか一項に記載のハウジングを有することを特徴とする光学走査デバイス。
【請求項３０】
請求項２９に記載の光学走査デバイスを搭載したことを特徴とする画像形成装置。
【請求項３１】
光源から発生させられる光で対象を走査する光学走査デバイスのハウジングに第一の端部及び第二の端部を備えた少なくとも一つのミラーを取り付けるミラーの取り付け方法において、
該少なくとも一つのミラーの第一の端部を該ハウジングに可動に取り付け、且つ、
該少なくとも一つのミラーの第二の端部を該ハウジングに接着によって取り付けることを特徴とするミラーの取り付け方法。
【請求項３２】
前記少なくとも一つのミラーの第二の端部を該ハウジングに紫外線硬化型の接着剤、電子線硬化型の接着剤、又は熱硬化型の接着剤を用いて接着することを特徴とする請求項３１に記載のミラーの取り付け方法。
【請求項３３】
前記少なくとも一つのミラーの第二の端部を前記ハウジングに接着によって取り付けることは、前記少なくとも一つのミラーの第二の端部を前記ハウジングに接着剤を用いて接着することを含み、
前記少なくとも一つのミラーの第二の端部の接着面の法線方向における該接着剤の変形が無いか、又は、該接着面の法線方向と直交する方向における該接着剤の変形率よりも該接着面の法線方向における該接着剤の変形率が小さいように、前記少なくとも一つのミラーの第二の端部を前記ハウジングに接着することを特徴とする請求項３１に記載のミラーの取り付け方法。
【請求項３４】
前記接着面の法線方向における前記接着剤を硬化させるエネルギーを加えずに、又は、前記接着面の法線方向と直交する方向に加えられる前記接着剤を硬化させるエネルギーよりも前記接着面の法線方向に加えられる前記接着剤を硬化させるエネルギーが少ないように、前記接着剤を硬化させるエネルギーを、前記接着剤に加えることを特徴とする請求項３３に記載のミラーの取り付け方法。
【請求項３５】
前記接着面の法線方向と直交する方向において、前記接着剤を硬化させるエネルギーを、前記接着剤に加えることを特徴とする請求項３４に記載のミラーの取り付け方法。
【請求項３６】
前記接着剤は、紫外線硬化型の接着剤、電子線硬化型の接着剤、又は熱硬化型の接着剤からなる群より選択されることを特徴とする請求項３３〜３５のいずれか一項に記載のミラーの取り付け方法。
【請求項３７】
前記接着剤は、紫外線硬化型の接着剤であることを特徴とする請求項３６に記載のミラーの取り付け方法。
【請求項３８】
請求項１０〜１９のいずれか一項に記載のミラーの長手方向における第一の端部側をハウジングに可動に取付け、且つ第二の端部側をハウジングに接着によって取付けるミラーの取付け方法であって、
ミラーの接着位置は、第二の端部側におけるミラー長手方向の端部と鏡面部の端部との略中央部であることを特徴とするミラー取付け方法。
【請求項３９】
前記接着位置の１ヶ所又は２ヶ所に接着剤を塗布することを特徴とする請求項３８に記載のミラー取付け方法。
【請求項４０】
請求項３８又は３９に記載のミラー取付け方法でミラーをハウジングに取り付けたことを特徴とする光学走査デバイス。
【請求項４１】
請求項４０に記載の光学走査デバイスを搭載したことを特徴とする画像形成装置。
【請求項４２】
光源から発生させられる光で対象を走査する光学走査デバイスのハウジングに取り付けられたミラーの配置を調整するミラーの配置調整装置において、
該ミラーの第一の回転軸まわりに該ミラーを回転させるデバイスを含むことを特徴とするミラーの配置調整装置。
【請求項４３】
前記第一の回転軸と直交する該ミラーの第二の軸まわりに該ミラーを回転させるデバイスをさらに含むことを特徴とする請求項４２に記載のミラーの配置調整装置。
【請求項４４】
前記ミラーは、接着剤は塗布されたミラーであって、
該接着剤を硬化させるデバイスをさらに含むことを特徴とする請求項４２又は４１に記載のミラーの配置調整装置。
【請求項４５】
該接着剤の硬化による前記ミラーの配置の変動を検出するデバイスをさらに含むことを特徴とする請求項４２乃至４４のいずれか一項に記載のミラー配置調整装置。
【請求項４６】
光源から発生させられる光で対象を走査する光学走査デバイスのハウジングに取り付けられたミラーの配置を調整するミラーの配置調整方法において、
該ミラーの第一の回転軸まわりに該ミラーを回転させることを含むことを特徴とするミラーの配置調整方法。
【請求項４７】
前記第一の回転軸と直交する該ミラーの第二の軸まわりに該ミラーを回転させることをさらに含むことを特徴とする請求項４６に記載のミラーの配置調整方法。
【請求項４８】
前記ミラーは、接着剤が塗布されたミラーであって、
該接着剤を硬化させることをさらに含むことを特徴とする請求項４６又は４７に記載のミラーの配置調整方法。
【請求項４９】
該接着剤の硬化による前記ミラーの配置の変動を検出することをさらに含むことを特徴とする請求項４６乃至４８のいずれか一項に記載のミラー配置調整方法。
【発明の詳細な説明】
【技術分野】
【０００１】
本発明は、光学走査デバイス、画像形成装置、ミラー、ハウジング、ミラーの取り付け方法、ミラーの配置調整装置、及びミラーの配置調整方法に関する。
【背景技術】
【０００２】
レーザプリンタ、デジタル複写機、およびレーザＦＡＸなどのカラー画像形成装置には、光源からの光ビームを偏向走査する正多角形に形成されたポリゴンミラーと、このポリゴンミラーによって走査された光ビームを感光体面上に結像するための光学素子（走査レンズ、ミラー）とが備えられ、また、書込み開始位置を決定するために、有効露光領域外の走査開始側に光検知器が設けられている。
【０００３】
このようなカラー画像形成装置において、カラー画像を形成する場合は、複数の色を重ね合わせる必要がある。１つの感光体で複数色の像を重ね合わせる方法と、複数の感光体で複数色の画像を重ねる方法がある。
【０００４】
しかし、光学素子の像面湾曲特性、光学ハウジングの捩れ、ポリゴンモータの発熱による熱変形、本体内での別ユニットを熱源とする熱変形、感光体の取付け時の捩れなどによって、主走査方向の走査線傾きや副走査方向のレジストずれが発生し、カラー画像形成装置では、３ないし４本の走査線は重ならないために色ずれの原因となる。
【０００５】
主走査方向とは、光走査装置自体が記録媒体に書き込む方向であり、副走査方向とは、転写媒体が移動する方向であり、ここでは、副走査方向は主走査方向に対して略直交する方向である。
【０００６】
副走査方向の走査線傾きとは、理想的な走査線に対し、副走査方向に傾斜する現象である。副走査方向のレジストずれとは、理想的な走査線に対し、副走査方向に平行にずれる現象である。
【０００７】
特に、ミラーの両端を板ばねで固定する場合には、ミラーの配置が固定されてしまい、ミラーを調整することは、困難である。
【０００８】
この課題を解決するために、特許文献１などの従来技術が提示される。これによると、ミラー長手方向の一方の端部に調整機構、もう一方側には保持機構を備えたミラー台にミラーを取り付ける。調整機構側は板ばねのような弾性部材と２点支持のセットビスにより、ミラーが狭持されて支持されている。また、保持機構側は、板ばねのようなミラー固定部材によって、光学ハウジングに設けられたミラーの回転支点に押し付けられて、回転可能に支持されている。
【０００９】
前記２つのセットビスを同じ角度回転すると、２つのセットビスは同じ量だけ前進や後退することで、ミラーが副走査方向にシフトして、走査線の傾きを調整でき、また、２つのセットビスをそれぞれ別の角度だけ回転させると、回転支点を中心としてミラーが回転し、走査位置ずれが調整できることより、色ずれの少ない高品位なカラー画像を出力することができる。
【００１０】
上記従来技術では、副走査方向の走査線傾き量及び、副走査方向のレジストずれは変化できるものの、調整機構が複雑であり、部品点数も増えることより、コストアップとなる。セットビスなどの調整部材では、調整精度の分解能が大きいため、高精度に位置ずれを調整できない。また、２つのセットビスの角度回転を行うため、調整に時間がかかり、工数アップとなる。
【００１１】
デジタル複写機やレーザプリンタの低価格化を実現するために光走査装置においては、各構成部品の簡略化や部品点数の低減、組立・調整時間の短縮によるコストダウンも要求されている。
【００１２】
また、ミラーの両端を接着剤で固定する場合には、光走査装置の温度変化と共にミラー及びミラーを保持する光走査装置のミラー保持部材が熱膨張又は収縮する。一般に、ミラーの線膨張率は、ミラーを保持する光走査装置のミラー保持部材の線膨張率が異なるため、ミラーの両端を接着剤で強固に固定する場合には、光走査装置の温度変化によって、ミラーが湾曲し、ミラーを用いる光走査装置の性能が低下することがある。このため、ミラーの両端を接着する接着剤には、ミラーの熱膨張又は収縮を許容することができる比較的柔軟な接着剤を用いる必要があるが、ミラーを強固に接着することが困難であることがある。
【特許文献１】特開２００１−１００１３５号公報
【特許文献２】特開２００３−１８８４５９号公報
【発明の開示】
【発明が解決しようとする課題】
【００１３】
本発明の目的は、ミラーの配置を調整することが可能であると共に熱によるミラーのひずみが低減される光学走査デバイス、該光学走査デバイスを含む画像形成装置、より容易に強固に接着することが可能なミラー、ミラーを強固に接着することができるハウジング、ミラーの配置を調整することが可能であると共に熱によるミラーのひずみが低減されるミラーの取り付け方法、ミラーの配置をより容易に調整することが可能なミラーの配置調整装置、及びミラーの配置をより容易に調整することが可能なミラーの配置調整方法を提供することである。
【課題を解決するための手段】
【００１４】
請求項１に記載の発明は、光源から発生させられる光を、ハウジングに取り付けられる第一の端部及び第二の端部を備えた少なくとも一つのミラーを介して対象に照射し、且つ、該照射させられた光で該対象を走査する光学走査デバイスにおいて、該少なくとも一つのミラーの第一の端部は、該ハウジングに可動に支持され、且つ、該少なくとも一つのミラーの第二の端部は、該ハウジングに接着されることを特徴とする光学走査デバイスである。
【００１５】
請求項２に記載の発明は、前記ハウジングは、凸部を有し、前記少なくとも一つのミラーの第一の端部は、前記凸部の一点で支持されることを特徴とする請求項１に記載の光学走査デバイスである。
【００１６】
請求項３に記載の発明は、前記凸部は、曲面を有し、該少なくとも一つのミラーの第一の端部は、前記凸部の曲面における一点で支持されることを特徴とする請求項２に記載の光学走査デバイスである。
【００１７】
請求項４に記載の発明は、前記少なくとも一つのミラーの第一の端部を前記ハウジングに固定する弾性体の固定部材を含む請求項１乃至３のいずれか一項に記載の光学走査デバイスである。
【００１８】
請求項５に記載の発明は、光学走査デバイスを用いて画像を形成する画像形成装置において、該光学走査デバイスは、請求項１乃至４のいずれか一項に記載の光学走査デバイスであることを特徴とする画像形成装置である。
【００１９】
請求項６に記載の発明は、接着剤によって接着することが可能なミラーにおいて、接着剤の接着力を向上させる膜を有することを特徴とするミラーである。
【００２０】
請求項７に記載の発明は、前記膜は、ミラーの鏡面の反射率を向上させる膜であることを特徴とする請求項６に記載のミラーである。
【００２１】
請求項８に記載の発明は、前記膜は、ＳｉＯ２層を含むことを特徴とする請求項６又は７に記載のミラーである。
【００２２】
請求項９に記載の発明は、紫外線を透過させることが可能な部分を有することを特徴とする請求項６乃至８のいずれか一項に記載のミラーである。
【００２３】
請求項１０に記載の発明は、光学走査デバイスに配置するミラーであって、中央部に光を反射する鏡面部と、両端部に光を透過する透過部を備え、接着剤によってハウジングに接着することが可能なことを特徴とするミラーである。
【００２４】
請求項１１に記載の発明は、前記透過部は、紫外線を透過することが可能であることを特徴とする請求項１０に記載のミラーである。
【００２５】
請求項１２に記載の発明は、前記透過部には、接着面が形成されていることを特徴とする請求項1０又は１１に記載のミラーである。
【００２６】
請求項１３に記載の発明は、前記接着面は、端部が平滑である側の平面を接着面とすることを特徴とする請求項１２に記載のミラーである。
【００２７】
請求項１４に記載の発明は、前記接着面は、親水性を有することを特徴とする請求項１２又は１３に記載のミラーである。
【００２８】
請求項１５に記載の発明は、前記接着面は、ミラーの接着力を向上させる接着強化膜を備えていることを特徴とする請求項１４に記載のミラーである。
【００２９】
請求項１６に記載の発明は、前記接着強化膜は、鏡面部の反射率を増加させる増反射膜であることを特徴とする請求項１４又は１５に記載のミラーである。
【００３０】
請求項１７に記載の発明は、前記増反射膜は、ＳｉＯ２層を含むことを特徴とする請求項１６に記載のミラーである。
【００３１】
請求項１８に記載の発明は、前記接着面は、紫外線硬化型接着剤を塗布する領域と、親水性を測定する領域とを備えていることを特徴とする請求項１２〜１７のいずれか一項に記載のミラーである。
【００３２】
請求項１９に記載の発明は、前記親水性を測定する領域は、ミラー端部側に配置されていることを特徴とする請求項１８に記載のミラーである。
【００３３】
請求項２０に記載の発明は、ミラーを備えた光学走査デバイスのハウジングであって、ミラーを接着する接着部は、凹凸形状をしており、ミラーの接着面と当接する第１面と、
第１面と交叉して凹部を形成する第２面とを有し、第１面と第２面との交線は、ミラーとハウジングの接着面の最遠部同士を結んだ少なくともひとつの直線と略直交することを特徴とするハウジングである。
【００３４】
請求項２１に記載の発明は、前記凹凸形状を形成する第２面は、前記第１面に対し３０〜９０度の傾きを有することを特徴とする請求項２０に記載のハウジングである。
【００３５】
請求項２２に記載の発明は、前記凹凸形状における凹部の深さは均一であることを特徴とする請求項２０又は２１に記載のハウジングである。
【００３６】
請求項２３に記載の発明は、前記凹凸形状は、金型の転写により形成されていることを特徴とする請求項２０〜２２のいずれか一項に記載のハウジングである。
【００３７】
請求項２４に記載の発明は、ミラーを備えた光学走査デバイスのハウジングであって、ミラーを接着する接着部に、ミラーの接着面と当接する第１面と、第１面と交叉する第２面により凹凸形状を形成し、該凹凸形状はローレット形状をしていることを特徴とするハウジングである。
【００３８】
請求項２５に記載の発明は、前記第１面と第２面との交線は、ミラーとハウジングの接着面の最遠部同士を結んだ直線と略直交していることを特徴とする請求項２４に記載のハウジングである。
【００３９】
請求項２６に記載の発明は、前記第２面は、前記第１面に対し３０〜９０度の傾きを有することを特徴とする請求項２４又は２５に記載のハウジングである。
【００４０】
請求項２７に記載の発明は、前記ローレット形状を形成する凹部の深さは均一であることを特徴とする請求項２４〜２６のいずれか一項に記載のハウジングである。
【００４１】
請求項２８に記載の発明は、前記ローレット形状は、金型の転写により形成されていることを特徴とする請求項２４〜２７に記載のハウジングである。
【００４２】
請求項２９に記載の光学走査デバイスを搭載したことを特徴とする画像形成装置。
【００４３】
請求項２９に記載の発明は、請求項２０〜２８のいずれか一項に記載のハウジングを有することを特徴とする光学走査デバイスである。
【００４４】
請求項３０に記載の発明は、請求項２９に記載の光学走査デバイスを搭載したことを特徴とする画像形成装置である。
【００４５】
請求項３１に記載の発明は、光源から発生させられる光で対象を走査する光学走査デバイスのハウジングに第一の端部及び第二の端部を備えた少なくとも一つのミラーを取り付けるミラーの取り付け方法において、該少なくとも一つのミラーの第一の端部を該ハウジングに可動に取り付け、且つ、該少なくとも一つのミラーの第二の端部を該ハウジングに接着によって取り付けることを特徴とするミラーの取り付け方法である。
【００４６】
請求項３２に記載の発明は、前記少なくとも一つのミラーの第二の端部を該ハウジングに紫外線硬化型の接着剤、電子線硬化型の接着剤、又は熱硬化型の接着剤を用いて接着することを特徴とする請求項３１に記載のミラーの取り付け方法である。
【００４７】
請求項３３に記載の発明は、前記少なくとも一つのミラーの第二の端部を前記ハウジングに接着によって取り付けることは、前記少なくとも一つのミラーの第二の端部を前記ハウジングに接着剤を用いて接着することを含み、前記少なくとも一つのミラーの第二の端部の接着面の法線方向における該接着剤の変形が無いか、又は、該接着面の法線方向と直交する方向における該接着剤の変形率よりも該接着面の法線方向における該接着剤の変形率が小さいように、前記少なくとも一つのミラーの第二の端部を前記ハウジングに接着することを特徴とする請求項３１に記載のミラーの取り付け方法である。
【００４８】
請求項３４に記載の発明は、前記接着面の法線方向における前記接着剤を硬化させるエネルギーを加えずに、又は、前記接着面の法線方向と直交する方向に加えられる前記接着剤を硬化させるエネルギーよりも前記接着面の法線方向に加えられる前記接着剤を硬化させるエネルギーが少ないように、前記接着剤を硬化させるエネルギーを、前記接着剤に加えることを特徴とする請求項３３に記載のミラーの取り付け方法である。
【００４９】
請求項３５に記載の発明は、前記接着面の法線方向と直交する方向において、前記接着剤を硬化させるエネルギーを、前記接着剤に加えることを特徴とする請求項３４に記載のミラーの取り付け方法である。
【００５０】
請求項３６に記載の発明は、前記接着剤は、紫外線硬化型の接着剤、電子線硬化型の接着剤、又は熱硬化型の接着剤からなる群より選択されることを特徴とする請求項３３乃至３５のうちいずれかに記載のミラーの取り付け方法である。
【００５１】
請求項３７に記載の発明は、前記接着剤は、紫外線硬化型の接着剤であることを特徴とする請求項３６に記載のミラーの取り付け方法である。
【００５２】
請求項３８に記載の発明は、請求項１０〜１９のいずれか一項に記載のミラーにおける第一の端部側をハウジングに可動に取付け、且つ第二の端部側をハウジングに接着によって取付けるミラーの取付け方法であって、ミラーの接着位置は、第二の端部側におけるミラー長手方向の端部と鏡面部の端部との略中央部であることを特徴とするミラー取付け方法である。
【００５３】
請求項３９に記載の発明は、前記接着位置の１ヶ所又は２ヶ所に接着剤を塗布することを特徴とする請求項３８に記載のミラー取付け方法である。
【００５４】
請求項４０に記載の発明は、請求項３８又は３９に記載のミラー取付け方法でミラーをハウジングに取り付けたことを特徴とする光学走査デバイスである。
【００５５】
請求項４１に記載の発明は、請求項４０に記載の光学走査デバイスを搭載したことを特徴とする画像形成装置である。
【００５６】
請求項４２に記載の発明は、光源から発生させられる光で対象を走査する光学走査デバイスのハウジングに取り付けられたミラーの配置を調整するミラーの配置調整装置において、該ミラーの第一の回転軸まわりに該ミラーを回転させるデバイスを含むことを特徴とするミラーの配置調整装置である。
【００５７】
請求項４３に記載の発明は、前記第一の回転軸と直交する該ミラーの第二の軸まわりに該ミラーを回転させるデバイスをさらに含むことを特徴とする請求項４２に記載のミラーの配置調整装置である。
【００５８】
請求項４４に記載の発明は、前記ミラーは、接着剤は塗布されたミラーであって、該接着剤を硬化させるデバイスをさらに含むことを特徴とする請求項４２又は４３に記載のミラーの配置調整装置である。
【００５９】
請求項４５に記載の発明は、該接着剤の硬化による前記ミラーの配置の変動を検出するデバイスをさらに含むことを特徴とする請求項４２乃至４４のいずれかに記載のミラー配置調整装置である。
【００６０】
請求項４６に記載の発明は、光源から発生させられる光で対象を走査する光学走査デバイスのハウジングに取り付けられたミラーの配置を調整するミラーの配置調整方法において、該ミラーの第一の回転軸まわりに該ミラーを回転させることを含むことを特徴とするミラーの配置調整方法である。
【００６１】
請求項４７に記載の発明は、前記第一の回転軸と直交する該ミラーの第二の軸まわりに該ミラーを回転させることをさらに含むことを特徴とする請求項４６に記載のミラーの配置調整方法である。
【００６２】
請求項４８に記載の発明は、前記ミラーは、接着剤が塗布されたミラーであって、該接着剤を硬化させることをさらに含むことを特徴とする請求項４６又は４７に記載のミラーの配置調整方法である。
【００６３】
請求項４９に記載の発明は、該接着剤の硬化による前記ミラーの配置の変動を検出することをさらに含むことを特徴とする請求項４６乃至４８のいずれかに記載のミラー配置調整方法である。
【発明の効果】
【００６４】
本発明によれば、ミラーの配置を調整することが可能であると共に熱によるミラーのひずみが低減される光学走査デバイス、該光学走査デバイスを含む画像形成装置、より容易に強固に接着させることが可能なミラー、ミラーを強固に接着できるハウジング、ミラーの配置を調整することが可能であると共に熱によるミラーのひずみが低減されるミラーの取り付け方法、ミラーの配置をより容易に調整することが可能なミラーの配置調整装置、及び、ミラーの配置をより容易に調整することが可能なミラーの配置調整方法を提供することができる。
【発明を実施するための最良の形態】
【００６５】
次に、本発明の実施の形態を図面と共に説明する。  
本発明の第一の実施形態は、光ビームを照射する光源と、光源から出射された発散光束を略平行な光ビームにするコリメートレンズと、光ビームを整形するアパーチャと、光ビームを主走査方向に線状に結像させるシリンダレンズとによって構成される走査前光学系を複数有し、これら、複数の走査前光学系からの光ビームを、同一の偏向手段を用いて主走査方向に偏向する偏向手段（＝偏向器）と、前記偏向された光ビームを走査前光学系毎に各々被走査面に結像させる、単体または複数の結像レンズ郡とを、同一の光学ハウジング内に備えた光走査装置において、各光ビームを反射してそれぞれの感光体上へと導く複数の（折返し）ミラーであって、前記ミラー長手方向の一方の端部を保持部材で固定し、長手方向のもう一方の端部を接着によって固定することを特徴とする光走査装置である。
【００６６】
本発明の第二の実施形態は、本発明の第一の実施形態による光走査装置において、ミラーの一端部は、光学ハウジングに形成された半円形状の突起に、ミラーの反射面側短手方向（副走査方向）の中央部を当接させて、１点受けすることを特徴とする光走査装置である。
【００６７】
本発明の第三の実施形態は、本発明の第一又は第二の実施形態による光走査装置において、前記ミラーの一端部の１点受け部を支点とし、前記ミラーの反射面に垂直な方向に移動させて副走査方向の走査線傾きを調整することと、反射面に平行な軸中心で角度回転させることで副走査方向のレジストを調整が同時に行えることを特徴とする光走査装置である。
【００６８】
本発明の第四の実施形態は、本発明の第一又は第二の実施形態による光走査装置において、ミラーを保持する保持部材は、光学ハウジングに形成された半円形状の突起の中心に対して、ミラーの非反射面の上側から左右均等な荷重で押圧して保持することを特徴とする光走査装置である。
【００６９】
本発明の第五の実施形態は、本発明の第四の実施形態による光走査装置において、前記保持部材は弾性体、のぞましくは板ばね材を成形したものであることを特徴とする光走査装置である。
【００７０】
本発明の第六の実施形態は、本発明の第一〜第四の実施形態のいずれかによる光走査装置において、前記ミラーの接着固定は、ミラーと光学ハウジングとの間に、１ヶ所又は２ヶ所の接着位置で、光学ハウジングと接着固定することを特徴とする光走査装置である。
【００７１】
本発明の第七の実施形態は、本発明の第一又は第六の実施形態による光走査装置において、前記ミラーの接着固定は、紫外線硬化型の接着剤又は電子線硬化型の接着剤又は熱硬化型の接着剤により、光学ハウジングと接着固定することを特徴とする光走査装置である。
【００７２】
本発明の第八の実施形態は、本発明の第一〜第七の実施形態のいずれかによるミラーにおいて、前記ミラーにＵＶ透過部を設けたことを特徴とするミラーである。
【００７３】
本発明の第九の実施形態は、本発明の第八の実施形態によるミラーにおいて、前記ミラー接着部の接触角（濡れ性）は、４５°以下であることを特徴とするミラーである。
【００７４】
本発明の第十の実施形態は、本発明の第三の実施形態によるミラーを調整するミラー調整機において、ミラー調整機に前記ミラーの反射面に垂直な方向に移動させて副走査方向の走査線傾きを調整する上下位置調整機構と、反射面に平行な軸中心で角度回転させることで副走査方向のレジストを調整する角度調整機構及び、接着剤の硬化収縮によるミラーの位置ずれ量を計測する計測部を備えたことを特徴とするミラー調整機である。
【００７５】
本発明の第十一の実施形態は、本発明の第三の実施形態によるミラーを調整するミラー調整方法において、ミラーと光学ハウジングとの接着層厚さ計測により、接着剤の硬化収縮によるミラーの位置ずれ量を任意の位置に制御することを特徴とするミラー調整方法である。
【００７６】
本発明の第十二の実施形態は、本発明の第一〜第十一の実施形態のいずれかによる光走査装置を搭載したことを特徴とする画像形成装置である。
【００７７】
本発明の第十三の実施形態は、光ビームを照射する光源と、光源から出射された発散光束を略平行な光ビームにするコリメートレンズと、光ビームを整形するアパーチャと、光ビームを主走査方向に線状に結像させるシリンダレンズとによって構成される走査前光学系を複数有し、これら、複数の走査前光学系からの光ビームを、同一の偏向手段を用いて主走査方向に偏向する偏向手段（＝偏向器）と前記偏向された光ビームを走査前光学系毎に各々被走査面に結像させる単体または複数の結像レン群と各光ビームを反射してそれぞれの感光体上へと導く複数のミラーとを同一の光学ハウジング内に備え、前記ミラー長手方向の一方の端部を保持部材で固定し、長手方向のもう一方の端部を接着によって固定する光走査装置において、前記ミラーと光学ハウジングを接着固定する接着剤の厚さ方向の硬化収縮量を抑えることを特徴とするミラー接着固定方法である。
【００７８】
本発明の第十四の実施形態は、本発明の第十三の実施形態によるミラー接着固定方法において、接着固定する接着剤の厚さ方向に対して、直角な方向から光を照射させて、接着剤の厚さ方向の硬化収縮量を抑えることを特徴とするミラー接着固定方法である。
【００７９】
本発明の第十五の実施形態は、本発明の第十三又は第十四の実施形態によるミラー接着固定方法において、前記ミラーの接着固定は、紫外線硬化型の接着剤又は電子線硬化型の接着剤又は熱硬化型の接着剤により、光学ハウジングと接着固定することを特徴とするミラー接着固定方法である。
【００８０】
本発明の第十六の実施形態は、本発明の第十四の実施形態によるミラー接着固定方法において、直角な方向から光は、紫外線（ＵＶ）を用いることを特徴とするミラー接着固定方法である。
【００８１】
本発明の第十七の実施形態は、本発明の第十三〜第十六の実施形態のいずれかによる光走査装置を搭載したことを特徴とする画像形成装置である。
【００８２】
本発明の第十八の実施形態は、光学走査デバイスに接着剤によって接着して配置するミラーであって、光を反射する鏡面部と、光を透過する透過部とを備えたミラーである。前記透過部は、紫外線を透過することが可能であり、前記透過部には、接着面が形成されている。前記接着面は、端部が平滑である側の面を接着面としており、前記接着面は、ミラーの接着力を向上させる接着強化膜を備えている。この接着強化膜は、鏡面部の反射率を増加させる増反射膜でもある。
【００８３】
本発明の第十九の実施形態は、第十九の実施形態のミラーと同じ構造であるが、接着面の接着強化膜は親水性を有しており、ＳｉＯ２層を含む膜で構成されている。そして、透過部は、紫外線硬化型接着剤を塗布する領域と、ミラー端部側に配置されている親水性を測定する領域とを備えている。
【００８４】
本発明の第二十の実施形態は、第十八、第十九の実施形態のミラーのハウジングへの取付方法である。ミラーの長手方向の第一の端部側をハウジングに可動に取付け、且つ第二の端部側をハウジングに接着によって取付ける。そして、ミラーの接着位置は、第二の端部側のミラー長手方向における端部と鏡面部の端部との略中央部である。接着は、接着位置の１ヶ所又は２ヶ所に接着剤を塗布する。
【００８５】
本発明の第二十一の実施形態は、第二十の実施形態のミラーのハウジングへの取付方法によりミラーを取り付けた光学走査デバイスである。
【００８６】
本発明の第二十二の実施形態は、第二十一の実施形態の光学走査デバイスを備えた画像形成装置である。
【００８７】
本発明の第二十三の実施形態は、ミラーを備えた光学走査デバイスのハウジングであって、ミラーを接着する接着部に、凹凸形状を有し、ミラーの接着面と当接する第１面と、第１面との交線がミラーとハウジングの接着面のうち最遠部同士を結んだ少なくともひとつの直線と略直交する第２面とを有することを特徴とするハウジングである。第２面は、前記第１面に対し３０〜９０度の傾きを有し、凹部の深さは均一である。
【００８８】
本発明の第二十四の実施形態は、第二十三の実施形態の特別の例であり、凹凸構造における凹凸が接着面上で交差するローレット形状である。
【００８９】
本発明の第二十五の実施形態は、第二十二乃至第二十四の実施形態に記載のハウジングを有する光学走査デバイスである。
【００９０】
本発明の第二十の実施形態は、第二十五の実施形態に記載の光学走査デバイスを搭載した画像形成装置である。
【００９１】
本発明の第一若しくは第二の実施形態又は本発明の第四〜第八の実施形態のいずれかについては、ミラー長手方向の一方の端部を光学ハウジングに形成された半円形上の突起に、ミラーの反射面側短手方向（副走査方向）の中央部を当接させて１点受けした状態で保持部材にて固定し、長手方向のもう一方の端部を１ヶ所又は２ヶ所の接着位置に、紫外線硬化型の接着剤又は電子線硬化型の接着剤又は熱硬化型の接着剤で光学ハウジングと接着固定することにより、従来技術に比べて、組付けや位置調整が簡易になり、生産コストの低減が見込めると同時に、ミラーにＵＶ透過部を設けることで装置及び部品の構成・機構を複雑にすることなく安価で高精度な光走査装置を提供できる。
【００９２】
本発明の第三の実施形態については、ミラーの一端部の１点受け部を支点とし、前記ミラーの反射面に垂直な方向に移動させて副走査方向の走査線傾きを調整することと、反射面に平行な軸中心で角度回転させることで副走査方向のレジストを調整が同時に行えることで、位置合せなどの調整、組立などの時間が短縮でき、安価で高精度な光走査装置を提供できる。
【００９３】
本発明の第九の実施形態については、ミラーの接着部の接触角（濡れ性）を４５°以下にすることで、接着剤がミラーの接着部に良く濡れ広がり事により、接着剤硬化後に強靭な接着強度が得られる。その結果、熱や衝撃などの環境変動に耐えことができ、且つ光学特性を安定させることができ、高精度な光走査装置を提供できる。
【００９４】
本発明の第十又は第十一の実施形態については、ミラー調整機に前記ミラーの反射面に垂直な方向に移動させて副走査方向の走査線傾きを調整する上下位置調整機構と、反射面に平行な軸中心で角度回転させることで副走査方向のレジストを調整する角度調整機構及び、接着剤の硬化収縮によるミラーの位置ずれ量を計測する計測部を備えたことで、副走査方向の走査線傾きと、副走査方向のレジストを調整が同時に行えることができ、生産コストの低減が見込めると同時に、装置及び部品の構成・機構を複雑にすることなく安価で高精度な光走査装置を提供できる。
【００９５】
また、接着剤の硬化収縮によるミラーの位置ずれ量を計測する計測部を備えたことで、ミラーと光学ハウジングとの接着層厚さを計測して、接着剤の硬化収縮によるミラーの位置ずれ量を任意の位置に制御できることにより、高精度な光走査装置を提供できる。
【００９６】
本発明の第十二の実施形態については、本発明の光走査装置を搭載した画像形成装置により、高画質な画像を得ることができる。
【００９７】
本発明の第十三又は第十四の実施形態については、接着剤の厚さ方向に対して、直角な方向から光を照射させてミラーと光学ハウジングを接着固定する接着剤の厚さ方向の硬化収縮量を抑えることにより、接着剤硬化収縮後のミラー姿勢を安定させ、光学特性を安定させることができる。また、装置及び部品の構成・機構を複雑にすることが無いため、安価で高精度な光走査装置を提供できる。
【００９８】
本発明の第十五又は第十六の実施形態については、ミラーの接着固定を紫外線硬化型の接着剤又は電子線硬化型の接着剤又は熱硬化型の接着剤で行うことで、接着固定による位置ずれが少なく、位置合せなどの調整、組立などの時間が短縮でき、安価で高精度な光走査装置を提供できる。
【００９９】
本発明の第十七の実施形態については、本発明の光走査装置を搭載した画像形成装置により、高画質な画像を得ることができる。
【０１００】
次に、本発明の実施形態のより具体的な実施形態を図面と共に説明する。  
まず、本発明の実施形態の対象としている２つの走査光学装置について説明する。図１は、本発明の実施形態が適用される光走査装置の一つの例を示す図である。図１（ａ）は、本発明の実施形態が適用される光走査装置の一つの例の上面図であり、図１（ｂ）は、本発明の実施形態が適用される光走査装置の一つの例の正面図である。
【０１０１】
図２は、本発明の実施形態が適用される光走査装置の別の例を示す図である。図２（ａ）は、本発明の実施形態が適用される光走査装置の別の例の上面図であり、図２（ｂ）は、本発明の実施形態が適用される光走査装置の別の例の正面図である。
【０１０２】
１つは図１（ａ）及び（ｂ）に示したような光走査装置において、樹脂からなる光学ハウジング１０１には、光ビームを照射する光源１０２とシリンドリカルレンズ１０３があり、光源２から発する光ビームを偏向器であるポリゴンスキャナユニット１０４に集光させている。このポリゴンスキャナユニット１０４に組付けられている回転多面鏡１０４ａは、等角速度でレーザ光を偏向している。そして、このポリゴンスキャナユニット１０４にて偏向され、光学素子１０５を透過した光ビームは、（折返し）ミラー１０７により折り返して、光学ハウジング１０１外部の感光体１０６上に結像、且つ、等速度になるように走査されている。また、光源１０２に備えられた半導体レーザの数は１つに限られず、２以上とする事ができる。
【０１０３】
もう１つは多色画像形成を目的とした図２（ａ）及び（ｂ）に示したような光走査装置において、複数の光源１０２から発する光ビームを１つのポリゴンスキャナユニット１０４にて偏向し、各々の光源１０２に対応し、前記ポリゴンスキャナユニット１０４に対向した形で配置され、光学素子１０５を透過した光ビームは、各光ビームに対応して設けられたミラー１０７により折り返して、光学ハウジング１０１外部の感光体１０６上に結像、且つ、等速度になるように走査されている。また、光源１０２に備えられた半導体レーザの数は１つに限られず、２以上とする事ができる。
【０１０４】
次に、本発明の実施形態に係る光走査装置について説明する。
【０１０５】
まず、本発明の第一〜第七の実施形態にいずれかによる光走査装置及び本発明の第八又は第九の実施形態によるミラーの実施例を、図３〜図６を参照して説明する。
【０１０６】
図３は、本発明の実施形態に係る光走査装置におけるミラー部の例を示す図である。図４は、本発明の実施形態に係るミラーの例を示す図である。図４（ａ）は、本発明の実施形態に係るミラーの例の上面図であり、図４（ｂ）は、本発明の実施形態に係るミラーの例の底面図である。図５は、本発明の実施形態に係るミラーを支持する光走査装置の支持部の例を示す図である。図６は、本発明の実施形態に係るミラーを保持する光走査装置の保持部材の例を示す図である。図６（ａ）は、本発明の実施形態に係るミラーを保持する光走査装置の保持部材の例の上面図であり、図６（ｂ）は、本発明の実施形態に係るミラーを保持する光走査装置の保持部材の例の正面図である。
【０１０７】
ミラー１０７は矩形状で主走査方向に長い平面部材で構成されており、上面側の長手方向の両端部はＵＶ光を透過して接着固定するためのＵＶ透過部１０７ａとなっている。ミラー１０７の平面部材は、ガラス部材であれば、特に限定されないが、好ましくは、高いＵＶ透過率を備えたガラスである。高いＵＶ透過率を備えたガラスとしては、フロートガラス（青板ガラス）が挙げられる。ミラー１０７の平面部材が、高いＵＶ透過率を備えたガラスである場合には、ＵＶ透過部１０７ａの裏面に設けられるＵＶ硬化接着剤をより効果的に硬化させることが可能となる。
【０１０８】
下面側には光を反射させる面であるミラー面１０７ｃがある。ミラー面１０７ｃには、例えば、アルミニウムのような金属又は合金の薄膜が形成される。
【０１０９】
また、下面側の長手方向両端部は、ミラー面１０７ｃを挟んで接着面１０７ｂとなっている。ここで、接着面１０７ｂには、ＵＶ硬化接着剤をより容易に塗布すると共にミラー１０７の接着面１０７ｂにおける接着力を向上させる接着強化膜が設けられる。接着強化膜は、単層膜であっても多層膜であってもよいが、接着強化膜の最上層は、例えば、ＳｉＯ２膜である。また、接着強化膜を、接着面１０７ｂのみならず、ミラー面１０７ｃにわたって設けても良い。接着強化膜が、ミラー面１０７ｃにも設けられる場合には、接着強化膜は、ミラー面における反射率を増加させる増反射膜であることが好ましい。増反射膜としては、例えば、ＳｉＯ２−ＴｉＯ２−ＳｉＯ２の三層膜のような多層膜が挙げ
られる。
【０１１０】
なお、ミラー１０７は、例えば、真空蒸着の手段を用いて、その平面部材のミラー面１０７ｃに金属又は合金の膜を設け、その平面部材の少なくとも接着面１０７ｂに接着強化膜を設けることによって得られる。
【０１１１】
このミラー１０７長手方向の一方の端部は、保持部材１０９が取り付く構成となっており、もう一方の端部は、接着によって光学ハウジング１０１と固定される構造となっている。ミラー１０７が、三点支持されるとき、二点で支持されるミラー１０７の端部は、接着剤によって、光学ハウジング１０１に接着され、一点で支持されるミラー１０７の端部は、保持部材１０９によって、光学ハウジング１０１に可動に取り付けられる。これについて図５，６を使って説明する。
【０１１２】
ミラー１０７長手方向の一方の端部は、図５に示すように光学ハウジング１０１に設けられたリブ１０１ａの上面側に形成されている半円筒形状の支持部１１０に当接させ、ミラー１０７の上面側から、ねじなどの締結部材１１１で保持部材１０９を取り付ける機構となっている。
【０１１３】
保持部材１０９は、図６（ａ）に示すように中央部に長方形状した２つの加圧部１０９ａと、締結部材１１１で固定するための円形状した穴が形成されている。この保持部材１０９に形成された加圧部１０９ａが、ミラー１０７上面側から、支持部１１０に対して、左右対称な位置に均一な荷重で押圧して、ミラー１０７を保持する。また、加圧部１０９ａに角部１０９ｂを設けることにより、より均一な荷重で押圧する事が可能となる。
【０１１４】
なお、光学ハウジング１０１に接着されたミラー１０７の端部にも、その接着された端部の固定を強化するために、保持部材１０９を取り付けてもよい。
【０１１５】
もう一方の端部はミラー１０７と光学ハウジング１０１との間に接着剤１１２を塗布する。このとき、接着剤１１２は、ミラー１０７と光学ハウジング１０１との間に、１ヶ所又は２ヶ所の接着位置で、ミラー１０７の位置調整後に、ＵＶ透過部１０７ａの上側からＵＶ照射して光学ハウジング１０１と接着固定する。
【０１１６】
このようにミラー１０７の一方の端部が、保持部材１０９によって可動に取り付けられ、ミラー１０７の他方の端部が接着されているので、ミラー１０７の配置を調整することができると共にミラーの熱膨張又は熱収縮によるミラー１０７の湾曲を予防する又は低減することができる。
【０１１７】
本実施例では、ＵＶ硬化型の接着剤を用いて説明するが、紫外線硬化型接着剤以外の電子線硬化型接着剤、又は熱硬化型接着剤で、光学ハウジング１０１と接着固定する手段でも可能である。
【０１１８】
ミラー１０７を接着固定する際に、ミラー１０７の接着面の濡れ性が悪い状態であると接着剤が濡れ広がらない不具合が生じて、接着強さ不足による剥れや、熱や衝撃などの環境変動により、ミラー１０７の位置ずれが発生する。このため、ミラー１０７の接着部の接触角（濡れ性）を４５°以下にすることで接着剤は濡れ広がり、硬化後に良好な接着状態を得ることが可能となる。
【０１１９】
次に、本発明の第十の実施形態によるミラー調整機又は第十一の実施形態によるミラー調整方法の実施例を、図７〜図１０を参照して説明する。
【０１２０】
図７は、本発明の実施形態に係るミラー調整機の例の構成を示す図である。図８は、本発明の実施形態に係るミラー調整機の例の動作を示す図である。図９は、本発明の実施形態に係るミラー調整機の例におけるミラーの調整を示す図である。図１０は、本発明の実施形態に係るミラー調整機の例におけるミラーの調整位置のずれを防止する方法を説明する図である。
【０１２１】
図７に示すミラー調整機２０５は、チャック部２０１、角度調整機構２０２、上下位置調整機構２０３、調整機構保持部材２０４、ＵＶ光源１１３及び、計測部２０６を備えており、チャック部２０１の先端部には、半円筒形状したミラー保持部２０１ａが、上側に１点受け、下側に２点受けで形成されている。また、チャック部２０１の上面側には、計測部２０６が当接されており、ミラー上側には、ＵＶ光源１１３が備えられている。
【０１２２】
このミラー調整機２０５にて、保持部材１０９が取り付いていない、ミラー１０７長手方向のもう一方の端部を、チャック部２０１に形成されているミラー保持部２０１ａで、ミラー１０７の上側１点、下側２点で受けて保持する。
【０１２３】
ミラー１０７を保持した状態で、ミラー１０７と光学ハウジング１０１に形成されているリブ１０１ａ上面の間に接着剤を塗布する。
【０１２４】
図８及び図９に示す、ミラー調整機２０５に備えられている上下位置調整機構２０３にて、ミラー１０７を直線の矢印のように上下方向に移動させることにより、図９に示す支持部１１０が支点となり、図８の直線の矢印に示すように、ミラー１０７の厚さ方向に変位して、副走査方向の走査線傾きを調整する。
【０１２５】
また、角度調整機構２０２にて、ミラー１０７を、図９の左右方向に移動させることにより、図９に示す支持部１１０が支点となり、図９の曲線の矢印に示すように、図９の紙面に垂直な軸のまわりに、ミラー１０７が揺動又は回転する。このとき、図８の曲線の矢印に示すように、ミラーが、図８の紙面に平行な軸を回転軸として、その回転軸のまわりに揺動又は角度回転して、副走査方向のレジストずれを調整する。
【０１２６】
このように、副走査方向の走査線の傾きのみを調整する（副走査方向のレジストずれの調整が不要である）場合には、ミラー１０７を、ミラー１０７の厚さ方向に上下に変位させればよく、保持部材１０９によって保持されるミラー１０７の端部は、必ずしも一点で支持される必要はなく、二点以上又は面で支持されてもよい。一方、副走査方向の走査線の傾き及びレジストずれの両方を調整するためには、ミラー１０７を、ミラー１０７の厚さ方向に上下に変位させると共にミラー１０７の左右方向に回転させるので、保持部材１０９によって保持されるミラー１０７の端部は、一点（例えば、円弧上の一点を含む）で支持される。
【０１２７】
前記のように、ミラー調整機２０５に備えられている上下位置調整機構２０３と角度調整機構２０２は、別機構になっているため、副走査方向の走査線傾き及び副走査方向のレジストを同時に調整する事が可能である。
【０１２８】
副走査方向の走査線傾き及び副走査方向のレジストを調整後、ミラー１０７の上側に備えられたＵＶ光源にてＵＶ光を照射し、接着剤を硬化させてミラー１０７と光学ハウジング１０１とを接着固定する。
【０１２９】
しかし、調整毎に接着層厚さは変化するため、接着剤硬化収縮により、ミラー１０７の調整位置にずれが生じ、副走査方向の走査線傾きが、調整狙い値に対してずれが発生する。すなわち、接着で固定する際に、硬化収縮によってミラーの位置が大きく変動する。このミラー位置の変化が発生すると、走査線が傾き、画像評価での色ずれとなることがある。この為、ミラーを狙いどおりの位置で固定する必要がある。
【０１３０】
この接着剤の硬化収縮によるミラー１０７の位置ずれを"０"にすることは、接着剤の特性上、極めて難しい。
【０１３１】
そこで、接着層毎に異なる副走査方向の走査線傾きを任意の位置に調整する手段として、予め、接着層厚さに対する接着剤の硬化収縮量を捉え、補正係数を算出する。図１０に示すミラー調整機２０５に取り付けられている計測部２０６にて、副走査方向の走査線傾き及び副走査方向のレジストを調整後の接着層厚さＡ３０４を計測する。この傾き量Ｅ３０４に接着層厚さに対する接着剤の硬化収縮量の補正係数をかけて調整量Ｃ３０１に調整することにより、硬化収縮によるミラー１０７の調整位置ずれを防止することができる。
【０１３２】
あるいは、接着剤の硬化収縮量を低減させ、位置ずれを低減できる接着構造を用いる。
【０１３３】
図１１は、本発明の実施形態に係るミラー接着固定方法の一つの例を説明する図である。図１１（ａ）は、本発明の実施形態に係るミラー接着固定方法の一つの例の開始の状態を示す図であり、図１１（ｂ）は、本発明の実施形態に係るミラー接着固定方法の一つの例の終了の状態を示す図である。
【０１３４】
図１１（ａ）に示すようなミラー１０７長手方向のミラー接着固定側（ミラーの接着面１０７ｂの側）は、ミラーの角度調整機構にて、ミラー１０７を厚さ方向及び、回転方向にミラー位置を変位させて、副走査方向の走査線傾きや副走査方向のレジスト位置ずれを調整する。
【０１３５】
この調整後に、図１１（ａ）に示すように、リブ１０１ａの上面部に、紫外線硬化型の接着剤のような接着剤１１２を塗布し、ミラー１０７を当接させ、ミラー１０７の上面部に設定したＵＶ光源１１３の紫外線照射位置より（ミラー１０７の接着面の法線方向において）、接着剤を硬化させるエネルギーとしてのＵＶ光を照射してミラー１０７と光学ハウジング１０１を接着固定している。
【０１３６】
ただし、図１１（ｂ）に示すように、ＵＶ光を照射すると接着剤１１２はミラー界面側から硬化し始め、接着剤１１２の厚さ方向（ミラー１０７の接着面の法線方向）における硬化収縮１１４の量（接着剤の変形率）により、ミラー１０７の位置が変位し、副走査方向の走査線傾きや副走査方向のレジスト位置にズレが生じる可能性がある。
【０１３７】
図１２は、本発明の実施形態に係るミラー接着固定方法の別の例を説明する図である。図１２（ａ）は、本発明の実施形態に係るミラー接着固定方法の別の例の開始の状態を示す図であり、図１２（ｂ）は、本発明の実施形態に係るミラー接着固定方法の別の例の終了の状態を示す図である。
【０１３８】
副走査方向の走査線傾きや副走査方向のレジスト位置ずれを調整後に、図１２（ａ）に示すように光学ハウジング１０１に形成されているリブ１０１ａの上面に、紫外線硬化型の接着剤のような接着剤１１２を塗布し、ミラー１０７を当接させる。
【０１３９】
図１２（ａ）に示すように、ＵＶ光源１１３の紫外線照射位置は、接着固定する接着剤１１２の厚さ方向（ミラー端面１０７ｄに平行な方向）に対して、直角な方向（ミラー１０７の接着面の法線方向と直交する方向）に配置しており、接着剤１１２の厚さ方向の側面部から、接着剤を硬化させるエネルギーとしてのＵＶ光を照射する。図１２（ｂ）に示すように、前記のＵＶ光源１１３の紫外線照射位置からＵＶ光を照射することにより、接着剤１１２の厚さ方向の側面部からミラー１０７の長手方向に硬化収縮１１４する。
【０１４０】
このため、接着剤１１２の厚さ方向への硬化収縮１１４の量（接着剤の変形率）を抑えることができ、接着剤１１２の硬化収縮による副走査方向の走査線傾きや副走査方向のレジスト位置ズレが低減できる。本実施例では、紫外線硬化型の接着剤を用いて説明するが、紫外線硬化型接着剤以外の電子線硬化型接着剤、又は熱硬化型接着剤で、光学ハウジング１０１と接着固定する手段でも可能である。
【０１４１】
本発明の第１８の実施形態は、図１３〜１５に示す光学走査デバイスに用いるミラーである。この実施形態のミラーは、図１３に示すように、平面部材４０１上に光を反射させる鏡面部４０２と、光を透過する透過部４０４を備えた構成になっている。ミラー４００は、矩形状で、長手方向が光学走査デバイスの主走査方向に対応している。平面部材４０１の片面側の中央付近に鏡面部４０２が形成されており、長手方向の両端部に透過部４０３，４０４が形成されている。平面部材４０１は、ガラス部材であれば特に限定されないが、高いＵＶ透過率を備えたガラスであることが好ましい。
【０１４２】
図１４に示すミラーの鏡面部４０２の断面構造は、反射膜４０５、３層の増反射膜４０６で構成されている。この反射膜４０５は、光を反射させる膜であり、平面部材４０１に形成されている平面上に、アルミニウムのような金属又は合金の薄膜で形成されている。増反射膜４０６は、３層で構成された反射率を増加させる膜であり、反射膜４０５の上側（外側）に増反射膜４０６が形成されている。
【０１４３】
図１５に示すミラーの透過部４０４の断面構造(透過部４０３も同じ断面構造である。)は、紫外線を透過することが可能な部分であり、ミラー４００の鏡面部４０２と同じ面の透過部４０４には接着面４０７が形成されている。この接着面４０７の表面には、３層からなる接着強化膜４０８が設けられている。
【０１４４】
通常、平面部材４０１は、図１６に示すように大板部材４０９を短冊状に切断して製作する。その際に、切断部である平面部材４０１の短手方向の端部には、波打ち模様をした凹凸（通常、「削げ」と呼ばれている。）が発生することが多い。この「削げ」４０１ｂは、一方の切断面にのみ生じやすい。「削げ」４０１ｂの発生した面は、面の平滑性に欠けるので、鏡面を形成する面には、この「削げ」４０１ｂが発生していない平滑面４０１ａを選ぶことが好ましい。
【０１４５】
この「削げ」４０１ｂの部分には、切断の際に発生する残留応力が溜まっていると考えられ、急激な温度変化や、接着剤の硬化収縮力（引張り力）により、使用中のミラー４００に亀裂が入ったりする可能性があるため、接着固定強度を強化させるためには「削げ」４０１ｂのある側の平面と反対の平滑平面４０１ａに鏡面部４０２及び、透過部４０３，４０４とすることが好ましい。本実施形態では、「削げ」４０１ｂのある側の平面と反対の平滑面４０１ａに鏡面部４０２及び、透過部４０３，４０４を形成したミラー４００としている。
【０１４６】
このミラー４００の光学ハウジングへの取り付けについて、図３及び図５を参照にして説明する。ミラー４００はミラー１０７としている。図３及び図５に示した光学走査デバイスのミラー１０７は、ミラー長手方向の一方の端部を保持部材１０９が保持し、もう一方の端部は接着によって光学ハウジング１０１と固定される構造となっている。保持部材１０９に保持されている端部は、図５に示すように光学ハウジング１０１に設けられたリブ１０１ａの上面側に形成されている半円柱形状の支持部１１０に当接させ、ミラー１０７の上面側から、ねじなどの締結部材で保持部材１０９を取付ける機構となっている。
【０１４７】
もう一方の端部は、図１７に示すように、ミラー１０７と光学ハウジングのリブ１０１ａとの間にＵＶ硬化型接着剤１１２を塗布して、ミラー１０７の位置調整後に、紫外線透過部の上側からＵＶ光源１１３を用いてＵＶ照射して、光学ハウジングのリブ１０１ａと接着固定する。本実施形態例では、ＵＶ硬化型の接着剤を用いているが、紫外線硬化型接着剤以外にも電子線硬化型接着剤、又は熱硬化型接着剤で、ミラー１０７と光学ハウジング１０１とを接着固定する手段でも可能である。
【０１４８】
この実施形態では、ミラーにＵＶ透過部を設けることで、接着固定するための装置及び部品の構成・機構を複雑にすることなく、安価で高精度な光走査装置を提供できる。
【０１４９】
本発明の第１９の実施形態は、透過部に接着強化膜の接着面が形成されているミラーである。図１５に平面部材４０１の透過部４０４に３層の接着強化膜４０８の接着面を形成したミラーの部分断面図を示した。図１５に示すように、ミラー４００に備えられた平面部材表面４０７上に、ＳｉＯ２等の親水性の高い接着強化膜４０８を成膜することにより、図２０（ｂ）に示したような接触角の小さい、すなわち親水性（濡れ性）の高い接着面となる。このような接着面は、ＵＶ硬化接着剤が濡れ広がり易く、着剤硬化後に強靭な接着強度が得られる。
【０１５０】
一方、親水性を有しない接着面を備えたミラーにＵＶ硬化接着剤等を塗布して接着固定する際には、ミラーの接着面が図２０（ａ）に示すような接触角となり、ＵＶ硬化接着剤が十分濡れ広がらない不具合が生じて、接着強さ不足による剥れや、温度変動や衝撃・振動などの外乱影響により、ミラーの位置ずれが発生してしまう。
【０１５１】
この実施形態では、接着強化膜４０８として、図１４に示したような鏡面部４０２に設けられている反射膜４０５の上側に成膜されている増反射膜４０６と同じものを用いることができる。そのため、実際の製造工程では、鏡面部４０２に増反射膜４０６を成膜すると同時に接着強化膜４０８も成膜できる。
【０１５２】
この接着強化膜４０８は親水性に優れていると共に、ＵＶ硬化型接着剤と平面部材４０１との接着強度より、接着強化膜４０８と平面部材４０１との接着強度の方が強い。さらに温度変動や衝撃・振動などの外乱影響にも耐えられる接着強度が得られることより、ガラス部材の平面部材４０１との長期的な密着性にも優れている。
【０１５３】
接着強化膜４０８が成膜された接着面の濡れ性（親水性）は、純水滴下による接触角評価法を用いている。しかし、接着強化膜４０８が成膜された接着面に一度滴下した純水を拭取ると、その後は同じ接着面の濡れ性が悪い状態（＝濡れ広がらない）になってしまう現象がある。そこで、図１８に示すように、接着強化膜４０８が成膜された領域を、純水を滴下したり拭き取ったりしないで直接ＵＶ硬化接着剤を塗布する領域５０１と、純水を滴下して接触角（親水性、又は濡れ性）を測定する領域５０２とに分けて、接触角（親水性、又は濡れ性）を測定する。このように、接着剤塗布領域５０１とは別に接触角測定領域５０２を設けることにより、ＵＶ硬化型接着剤を塗布する領域５０１の親水性（濡れ性）が維持できる。
【０１５４】
この実施形態においては、ＵＶ硬化型接着剤がミラーの接着部に良く濡れ広がることにより、接着剤硬化後に強靭な接着強度が得られる。その結果、温度変動や衝撃・振動などの外乱影響に耐える接着強度を得ることができ、光学特性を安定させることができる高精度な光学走査デバイス用のミラーとすることができる。また、ミラー接着面にＵＶ硬化型接着剤を塗布する領域と、接触角（濡れ性）を評価する領域を設けることで、純水滴下による接触角測定時にＵＶ硬化型接着剤を塗布する領域の濡れ性を悪化させることなく、濡れ性が良い状態（＝濡れ広がる）を維持できる。また、接触角（濡れ性）を測定する領域をミラー端部側に設けることで、滴下した純水を簡易に拭取ることができる。このため、接触角評価のための装置及び部品の構成・機構を複雑にすることなく、安価で高精度な光走査装置を提供できる。
【０１５５】
本発明の第２０の実施形態は、上記実施形態１８又は１９に示したミラーにおける第一の端部側をハウジングに可動に取付け、且つ第二の端部側をハウジングに接着によって取付けるミラーの取付け方法であって、ミラーの接着位置を第二の端部側のミラー長手方向における端部と鏡面部の端部との略中央部とするミラー取付け方法である。図１９に示すミラー６００の鏡面部６０１において鏡面機能を持つ反射膜４０５は、平面部材４０１との接着力が、接着強化膜４０８と平面部材４０１との接着力より弱い場合がある（図１４，１５参照）。この為、ミラーの光学ハウジングへの接着位置は、鏡面部からもミラーの端部からも離れた、両者の中央部分の接着位置６０２とすることが平面部材４０１と接着強化膜４０８との接着力が強固になる。この為、この接着位置６０２部分に接着剤を塗布してミラーを光学ハウジングに取付ける方法が好ましい。このようにすれば、ミラーの端部において接触角を測定する領域も確保できる。この接着位置６０２のうち１ヶ所又は２ヶ所に接着剤を塗布することで、さらに良好な接着固定強度が得られる。
【０１５６】
この実施形態において製造されたミラーは、鏡面境界部から離れた、且つ、接触角を測定する領域にかからない位置である透過部の中央付近に接着位置を設け、この接着位置で１ヶ所又は２ヶ所を接着剤塗布位置としている。これにより、ＵＶ硬化接着剤が良く濡れ広がることにより、接着剤硬化後に強靭な接着強度が得られ、温度変動や衝撃・振動などの外乱影響に耐えることができ、且つ、光学特性を安定させることができるため、高精度な光学走査デバイスが提供できる。
【０１５７】
本発明の第２１の実施形態は、上述の実施形態１８又は１９に示したミラーを実施形態２０に示したミラー取付け方法でミラーをハウジングに取り付けた光学走査デバイスである。この実施形態の光学走査デバイスにより、ミラーを接着固定するための装置及び部品の構成・機構を複雑にすることなく、安価で高精度な光学走査デバイスが提供できる。
【０１５８】
さらに、本発明の第２２の実施形態は、第２１の実施形態の光学走査デバイスを搭載した画像形成装置である。この光学走査デバイスを搭載した画像形成装置により、高画質な画像を得ることができる。
【０１５９】
本発明の第２３の実施形態は、ミラーを備えた光学走査デバイスのハウジングであって、ミラーを接着する接着部が、ミラーの接着面に当接する第１面とミラーの接着面に対し３０〜９０度傾いた第２面とを有する凹凸構造をしているハウジングである。
【０１６０】
ミラーの一端を接着剤により接着し、他端を保持機構により鏡面と垂直な方向のみ固定したようなミラーのハウジングにおいては、図２７の斜視図で示すように、ハウジング取付け時にハウジング受け面が製品と接触することで発生する衝撃により、ハウジングの接着面に衝撃と同一方向の負荷がかかる。また、図２８に示すように、ミラーの長手方向の一方の端部は、ミラーの反射方向を調整する為に保持機構によってハウジングに押し付けられているだけであり、鏡面と平行方向には拘束されていない。このため、外部からの衝撃により調整接着機構であるミラーの接着部を支点にミラー面と平行方向にミラーが振れ、接着部に応力がかかる。この実施形態のハウジングによれば、この応力に対してハウジングとミラーを強固に接着することができる。
【０１６１】
従来から、ハウジングと接着剤の接着強度を向上させる為に、接着で固定する範囲を広げる方法が考えられていた。この方法では、ＵＶ硬化型接着剤を硬化させるＵＶの照射範囲を広げる必要があり、単位面積当りのＵＶ照射量が低下し、接着剤の硬化までの時間が長くなり、量産時のタクトタイムが増加によるコスト増に繋がってしまう欠点があった。
【０１６２】
この実施形態では、図２１に示すミラーとハウジングの接合部の説明斜視図、及び図２２（ｂ），２２（ｃ）に示す接合部の断面形状のように、接着面中にミラー面７０５ａと略平行な平面である第１面７０１ａだけではなく、ミラー面と３０〜９０度の角度を成す第２面７０１ｂを組み合わせてハウジング７０１の接着部を凹凸形状としている。図２２（ｂ）には第２面７０１ｂが９０度の例、図２２（ａ）には第２面７０１ｂが３０度の例を示している。なお、図２２（ａ）はミラーとハウジングの接合部の平面図であり、図２２（ｂ），２２（ｃ）はその接合部のＢ部分のＡ−Ａ'断面の詳細図である。図２２（ａ）に示した形態では、同様の凹部の溝が３本あり、従って凸部が２つある凹凸形状である。
【０１６３】
ハウジングの接着部をこのように凹凸構造とすることで、ハウジングの接着面積が拡がり接着剤との接着力が増大する。ハウジングのミラーとの当接面をミラーの接着面に略平行な面とすることで、接着剤塗布・硬化前でも、ハウジングでミラーを支えることができるので、ミラーを把持する際のミラーの姿勢が安定し、治具での作業が容易になる。さらに、凹部を持つことにより、ミラーの鏡面方向への応力による接着面の剥離に対し抵抗力を増すことができる。この抵抗力は、第１面と第２面の角度が大きくなるほど高まるが、接着剤を充填しにくくなったり、紫外線照射しにくい部分ができたりしやすくなる。そこで、第２面の角度は、接着剤とハウジングの材質、衝撃のかかる方向と衝撃の大きさに合わせて変更する必要がある。また、接着面内に複数の凹凸を配列することで、衝撃に対する接着強度の向上と段差により剥れの進行を止める機能を得ることが出来る。
【０１６４】
この凹凸形状の底まで接着剤が入り込んだ状態で接着剤を硬化させて、ハウジングと接着剤を噛み合わせることで、ミラー面と平行な方向の振れに対する接着強度の向上をはかり、耐衝撃性の向上させている。また、凹凸形状の深さを揃えて均一にすることで、各凹凸形状の底面まで紫外線で均等に照射することができる。ハウジングにかかる衝撃により、ミラーの調整接着機構を中心にミラー面と平行な方向に振れに対して、ハウジングの接着界面の接着強度が弱い。そこで、接着界面の接着強度だけでなく、接着剤が引っかかる形状に硬化させることで振れの方向に対して強い接着構成とすることが出来る。
【０１６５】
また、図２３，２４に示すように、ハウジングの凹凸形状の第１面面の第２面との交線が、接着面における最遠部同士を結んだ直線と直交しさせることで、接着面の最遠部同士である矩形の角部から始まるミラーの剥れの進行を、剥れの進行方向に直角に形成されている凹部の溝に充填された接着剤で食い止めることが出来る。すなわち、ハウジングにかかる衝撃により、ミラーの調整接着機構を中心としたミラー面に平行な方向の振れと、ミラーの撓みにより、接着面は対角方向に捻られる。この捻りに直交する溝を接着面に形成することで、捻りに直交する方向の接着面積を増やし接着強度の向上を図ることが出来る。
【０１６６】
このような凹凸構造は、金型を用いてハウジング、又はハウジングのリブを製作し、そのミラーとの接着部に対応する凹凸部を備えた金型の転写によって容易に形成することができる。その他の製造方法においても、接着面に金型の凹凸のパターンを転写することで、成型品に追加工を施すのにかかる作業コストを低減することができる。
【０１６７】
本発明の第２４の実施形態は、第２３の実施形態のハウジングにおいて接着部の凸部の形状を接着面上で交差するローレット形状としている。図２５の斜視図と図２６の平面図に示したように、この場合も接着面全体は矩形であり、その矩形の２本の対角線に対し、第１面と第２面の交線、すなわち、図２６の平面図における凸部と凹部の境界線７０１ａが直角に交叉している。この実施形態のハウジングの接着面には、最遠部の組み合わせが２箇所あるので、その両方に対応した凹凸形状となっている。
【０１６８】
この場合にも、ミラーの撓みなどで、剥れの進行方向７１３ａに対して溝が直角になっており、溝の中に充填された接着剤が強固に剥れの進行を食い止めることが出来る。ハウジングにかかる衝撃により、ミラーの調整接着機構を中心としたミラー面に平行な方向の振れと、ミラーの撓みにより、接着面は対角方向に捻られる。この捻りに直交する溝を接着面に形成することで、捻りに直交する方向の接着面積を増やし接着強度の向上を図ることが出来る。
【０１６９】
本発明の第２５の実施形態は、上述の実施形態２３〜２４に示したハウジングにミラーを取り付けた光学走査デバイスである。この実施形態の光学走査デバイスにより、ミラーを接着固定が強固で、安価で高精度な光学走査デバイスが提供できる。
【０１７０】
さらに、本発明の第２６の実施形態は、第２５の実施形態の光学走査デバイスを搭載した画像形成装置である。この光学走査デバイスを搭載した画像形成装置により、高画質な画像を得ることができる。
【０１７１】
以上、本発明の実施の形態及び実施例を具体的に説明してきたが、本発明は、これらの実施の形態及び実施例に限定されるものではなく、これら本発明の実施の形態及び実施例を、本発明の主旨及び範囲を逸脱することなく、変更又は変形することができる。
【産業上の利用可能性】
【０１７２】
本発明は、デジタル複写機やレ−ザプリンタ等に使用される光走査装置に適用することができる。また、本発明は、光走査装置に調整機構を備えることなく、副走査方向の走査線傾き及び副走査方向のレジストずれの調整が同時に行え、更に環境変動（耐熱・耐振動）に強い光走査装置に適用することができる。
【図面の簡単な説明】
【０１７３】
【図１】本発明の実施形態が適用される光走査装置の一つの例を示す図である。
【図２】本発明の実施形態が適用される光走査装置の別の例を示す図である。
【図３】本発明の実施形態に係る光走査装置におけるミラー部の例を示す図である。
【図４】本発明の実施形態に係るミラーの例を示す図である。
【図５】本発明の実施形態に係るミラーを支持する光走査装置の支持部の例を示す図である。
【図６】本発明の実施形態に係るミラーを保持する光走査装置の保持部材の例を示す図である。
【図７】本発明の実施形態に係るミラー調整機の例の構成を示す図である。
【図８】本発明の実施形態に係るミラー調整機の例の動作を示す図である。
【図９】本発明の実施形態に係るミラー調整機の例におけるミラーの調整を示す図である。
【図１０】本発明の実施形態に係るミラー調整機の例におけるミラーの調整位置のずれを防止する方法を説明する図である。
【図１１】本発明の実施形態に係るミラー接着固定方法の一つの例を説明する図である。
【図１２】本発明の実施形態に係るミラー接着固定方法の別の例を説明する図である。
【図１３】本発明のミラーの斜視図である。
【図１４】ミラーの断面構造である。
【図１５】ミラーの光透過部の断面構造である。
【図１６】平面部材の製作説明図である。
【図１７】接着剤へのＵＶ照射図である。
【図１８】本発明のミラー（１）である。
【図１９】本発明のミラー（２）である。
【図２０】接着強化膜による接触角の変化図である。
【図２１】ミラーとハウジングの接合部の説明斜視図である。
【図２２】ミラーとハウジングの接合部の説明図である。
【図２３】ミラーとハウジングの接合部の斜視図（１）である。
【図２４】ミラーとハウジングの接合部の平面図（１）である。
【図２５】ミラーとハウジングの接合部の斜視図（２）である。
【図２６】ミラーとハウジングの接合部の平面図（２）である。
【図２７】ハウジング受け面への衝撃の説明図である。
【図２８】ミラーの振動による衝撃の説明図である。
【符号の説明】
【０１７４】
１０１    光学ハウジング
１０１ａ    リブ
１０２    光源
１０３    シリンドリカルレンズ
１０４    ポリゴンスキャナユニット
１０４ａ    回転多面境
１０５    光学素子
１０６    感光体
１０７    ミラー
１０７ａ    ＵＶ透過部
１０７ｂ    接着面
１０７ｃ    ミラー面
１０７ｄ    ミラー端面
１０９    保持部材
１０９ａ    加圧部
１０９ｂ    角部
１１０    支持部
１１１    締結部材
１１２    接着剤
１１３    ＵＶ光源
１１３ａ    ＵＶ光
１１４    硬化収縮
２０１    チャック部
２０１ａ    ミラー保持部
２０２    角度調整機構
２０３    上下位置調整機構
２０４    調整機構保持部材
２０５    ミラー調整機
２０６    計測部
３０１    調整量Ｃ
３０２    傾き量Ｄ
３０３    傾き量Ｅ（狙い値）
３０４    接着層厚さＡ
４００    ミラー
４０１    平面部材
４０１ａ    鏡面側
４０１ｂ    削げ
４０２    鏡面部
４０３    透過部
４０４    透過部
４０５    反射膜
４０６    増反射膜
４０７    接着面
４０８    接着強化膜
４０８    大板部材
５００    ミラー
５０１    接着剤塗布領域
５０２    接触角測定領域
６００    ミラー
６００ａ    保持部材取付側
６００ｂ    接着固定側
６０１    鏡面部
６０２    接着位置
６０３    ミラー端部
７０１    ハウジング
７０１ａ    ハウジングへの衝撃
７０１ｂ    第１面
７０１ｃ    第２面
７０１ｄ    第２面の第１面との交線
７０１ｅ    第２面の第１面との交線
７０２    受け面
７０３    ハウジングへの衝撃
７０４    ミラーへの衝撃
７０５    ミラー
７０５ａ    ミラーの接着面
７０６    接着剤
７０７    ミラーの振れ
７０８    調整接着機構
７０９    接着範囲
７１０    接着範囲の外接円
７１１    接着範囲の最遠点
７１２    接着範囲の矩形の対角線
７１２ａ    接着範囲の矩形の対角線
７１２ｂ    接着範囲の矩形の対角線
７１３    剥がれの進行方向
７１３ａ    剥がれの進行方向
７１３ｂ    剥がれの進行方向
【図１】
2008268838.tif 000003
【図２】
2008268838.tif 000004
【図３】
2008268838.tif 000005
【図４】
2008268838.tif 000006
【図５】
2008268838.tif 000007
【図６】
2008268838.tif 000008
【図７】
2008268838.tif 000009
【図８】
2008268838.tif 000010
【図９】
2008268838.tif 000011
【図１０】
2008268838.tif 000012
【図１１】
2008268838.tif 000013
【図１２】
2008268838.tif 000014
【図１３】
2008268838.tif 000015
【図１４】
2008268838.tif 000016
【図１５】
2008268838.tif 000017
【図１６】
2008268838.tif 000018
【図１７】
2008268838.tif 000019
【図１８】
2008268838.tif 000020
【図１９】
2008268838.tif 000021
【図２０】
2008268838.tif 000022
【図２１】
2008268838.tif 000023
【図２２】
2008268838.tif 000024
【図２３】
2008268838.tif 000025
【図２４】
2008268838.tif 000026
【図２５】
2008268838.tif 000027
【図２６】
2008268838.tif 000028
【図２７】
2008268838.tif 000029
【図２８】
2008268838.tif 000030